(57)【要約】【課題】３極端子を介して接続されることでＬｃｈ／Ｒｃｈ信号のｃｈ間で相互に音漏れが生じてしまうことにより、それぞれ漏れ信号が重畳された信号が記録されてしまう。【解決手段】音漏れ低減用乗算器１７ａ・減算器１８ｂの組により、Ｌｃｈ信号に対し所要の係数を乗算した信号がＲｃｈ信号から減算され、また、音漏れ低減用乗算器１７ｂ・減算器１８ａの組により、Ｒｃｈ信号に対し所要の係数を乗算した信号がＬｃｈ信号から減算されることによって、音漏れを低減することができる。【選択図】図１
2008205847.tif 000002
【特許請求の範囲】
【請求項１】
第１チャンネル信号が出力される第１チャンネル出力端子と、第２チャンネル信号が出力される第２チャンネル出力端子と、上記第１チャンネルと上記第２チャンネルに対して共通の接地端子とからなる３極端子を備えた信号出力部からの上記第１チャンネル信号および上記第２チャンネル信号を入力して処理する信号処理装置であって、
上記信号出力部からの上記第１チャンネル信号が入力される第１チャンネル入力端子と、上記第２チャンネル信号が入力される第２チャンネル入力端子と、上記接地端子に対して接続される接地端子とを備える接続手段と、
上記第１チャンネル入力端子から入力された上記第１チャンネル信号に係数を乗算する第１の係数乗算手段と、
上記第２チャンネル入力端子から入力された上記第２チャンネル信号に係数を乗算する第２の係数乗算手段と、
上記第２チャンネル入力端子から入力された上記第２チャンネル信号から上記第１の係数乗算手段により得られる乗算出力信号を減算する第１の減算手段と、
上記第１チャンネル入力端子から入力された上記第１チャンネル信号から上記第２の係数乗算手段により得られる乗算出力信号を減算する第２の減算手段と、
を備えたことを特徴とする信号処理装置。
【請求項２】
上記信号出力部は、第１集音部と第２集音部とを備える集音装置における信号出力部であり、
上記接続手段における上記第１チャンネル入力端子には、上記第１集音部により得られる集音信号としての上記第１チャンネル信号が上記第１チャンネル出力端子を介して入力され、
上記接続手段における上記第２チャンネル入力端子には、上記第２集音部により得られる集音信号としての上記第２チャンネル信号が上記第２チャンネル出力端子を介して入力される、
ことを特徴とする請求項１に記載の信号処理装置。
【請求項３】
上記信号出力部の上記第１チャンネル出力端子、上記第２チャンネル出力端子には、外部の信号再生装置から再生出力された上記第１チャンネル信号、上記第２チャンネル信号が供給され、
上記接続手段における上記第１チャンネル入力端子には、上記信号再生装置からの再生出力としての上記第１チャンネル信号が上記第１チャンネル出力端子を介して入力され、
上記接続手段における上記第２チャンネル入力端子には、上記信号再生装置からの再生出力としての上記第２チャンネル信号が上記第２チャンネル出力端子を介して入力される、
ことを特徴とする請求項１に記載の信号処理装置。
【請求項４】
上記接続手段における上記第１チャンネル入力端子から入力された上記第１チャンネル信号、上記第２チャンネル入力端子から入力された上記第２チャンネル信号の少なくとも一方を入力して反対チャンネルの信号に基づく漏れ信号の漏れ量を計測する計測処理と、
上記計測処理により計測した上記漏れ量に基づき計算した係数を上記第１の係数乗算手段と上記第２の係数乗算手段に設定する係数設定処理と、
を実行する制御手段をさらに備える、
ことを特徴とする請求項１に記載の信号処理装置。
【請求項５】
上記制御手段は、上記計測処理として、
上記接続手段における上記第２チャンネル入力端子から入力された上記第２チャンネル信号を入力して、反対側の第１チャンネル側に流された基準信号に基づく第２チャンネル漏れ信号の漏れ量を計測する第２チャンネル漏れ量計測処理と、
上記第１チャンネル入力端子から入力された上記第１チャンネル信号を入力して、反対側の第２チャンネル側に流された基準信号に基づく第１チャンネル漏れ信号の漏れ量を計測する第１チャンネル漏れ量計測処理と、を実行すると共に、
さらに上記係数設定処理として、
上記第２チャンネル漏れ量計測処理により計測した上記漏れ量と上記基準信号のレベルとに基づき計算した第１チャンネル漏れ比率に応じた係数を上記第１の係数乗算手段に設定する第１チャンネル係数設定処理と、
上記第１チャンネル漏れ量計測処理により計測した上記漏れ量と上記基準信号のレベルとに基づき計算した第２チャンネル漏れ比率に応じた係数を上記第２の係数乗算手段に設定する第２チャンネル係数設定処理と、を実行する、
ことを特徴とする請求項４に記載の信号処理装置。
【請求項６】
上記信号出力部は、第１集音部と第２集音部とを備える集音装置における信号出力部であり、且つ上記集音装置においては、上記第１集音部に流れるべき信号をバイパスさせる第１のバイパス経路を有効／無効とするようにして設けられた第１切換手段と、上記第２集音部に流れるべき信号をバイパスさせる第２のバイパス経路を有効／無効とするようにして設けられた第２切換手段とが備えられており、
上記接続手段における上記第１チャンネル入力端子には、上記第１集音部により得られる集音信号としての上記第１チャンネル信号が上記第１チャンネル出力端子を介して入力され、
上記接続手段における上記第２チャンネル入力端子には、上記第２集音部により得られる集音信号としての上記第２チャンネル信号が上記第２チャンネル出力端子を介して入力され、
さらに、基準信号を音声出力する第１スピーカ部と第２スピーカ部とを備えるようにされると共に、
上記制御手段は、
上記集音装置に対し、上記第２のバイパス経路を有効とするための制御信号を上記第２切換手段へ供給する第２切換手段制御処理と、
上記第２のバイパス経路が有効とされた状態で上記第１スピーカ部から上記基準信号を音声出力させる第１基準信号出力処理と、
上記第１スピーカ部から出力された上記基準信号が上記第１集音部によって集音されることに伴って第１チャンネル側に信号が流れることに応じて、上記第２チャンネル入力端子から入力されることになる第２チャンネル漏れ信号の漏れ量を計測する第２チャンネル漏れ量計測処理と、
上記第２チャンネル漏れ量計測処理により計測した漏れ量と上記基準信号のレベルとに基づき計算した第１チャンネル漏れ比率に応じた係数を上記第１の係数乗算手段に設定する第１チャンネル係数設定処理と、
上記集音装置に対し、上記第１のバイパス経路を有効とするための制御信号を上記第１切換手段へ供給する第１切換手段制御処理と、
上記第１のバイパス経路が有効とされた状態で上記第２スピーカ部から上記基準信号を音声出力させる第２基準信号出力処理と、
上記第２スピーカ部から出力された上記基準信号が上記第２集音部によって集音されることに伴って第２チャンネル側に信号が流れることに応じて、上記第１チャンネル入力端子から入力されることになる第１チャンネル漏れ信号の漏れ量を計測する第１チャンネル漏れ量計測処理と、
上記第１チャンネル漏れ量計測処理により計測した漏れ量と上記基準信号のレベルとに基づき計算した第２チャンネル漏れ比率に応じた係数を上記第２の係数乗算手段に設定する第２チャンネル係数設定処理と、を実行する、
ことを特徴とする請求項４に記載の信号処理装置。
【請求項７】
上記信号出力部の上記第１チャンネル出力端子、上記第２チャンネル出力端子には、外部の信号再生装置から再生出力された上記第１チャンネル信号、上記第２チャンネル信号が供給され、
上記接続手段における上記第１チャンネル入力端子には、上記信号再生装置からの再生出力としての上記第１チャンネル信号が上記第１チャンネル出力端子を介して入力され、
上記接続手段における上記第２チャンネル入力端子には、上記信号再生装置からの再生出力としての上記第２チャンネル信号が上記第２チャンネル出力端子を介して入力され、
さらに、上記外部の信号再生装置との間で信号通信を行うための通信手段を備えると共に、
上記制御手段は、
上記通信手段を介して上記信号再生装置と通信を行って、上記信号再生装置側から上記第１チャンネル出力端子側に基準信号を出力させる第１基準信号出力制御処理と、
上記第１基準信号出力処理により上記信号再生装置側から上記第１チャンネル出力端子に出力された上記基準信号が上記第１チャンネル入力端子を介して入力されることに応じて、上記第２チャンネル入力端子から入力されることになる第２チャンネル漏れ信号の漏れ量を計測する第２チャンネル漏れ量計測処理と、
上記第２チャンネル漏れ量計測処理により計測した漏れ量と上記基準信号のレベルとに基づき計算した第１チャンネル漏れ比率に応じた係数を上記第１の係数乗算手段に設定する第１チャンネル係数設定処理と、
上記通信手段を介して上記信号再生装置と通信を行って、上記信号再生装置側から上記第２チャンネル出力端子側に基準信号を出力させる第２基準信号出力制御処理と、
上記第２基準信号出力処理により上記信号再生装置側から上記第２チャンネル出力端子に出力された上記基準信号が上記第２チャンネル入力端子を介して入力されることに応じて、上記第１チャンネル入力端子から入力されることになる第１チャンネル漏れ信号の漏れ量を計測する第１チャンネル漏れ量計測処理と、
上記第１チャンネル漏れ量計測処理により計測した漏れ量と上記基準信号のレベルとに基づき計算した第２チャンネル漏れ比率に応じた係数を上記第２の係数乗算手段に設定する第２チャンネル係数設定処理と、を実行する、
ことを特徴とする請求項４に記載の信号処理装置。
【請求項８】
第１チャンネル信号が出力される第１チャンネル出力端子と、第２チャンネル信号が出力される第２チャンネル出力端子と、上記第１チャンネルと上記第２チャンネルに対して共通の接地端子とからなる３極端子を備えた信号出力部からの上記第１チャンネル信号および上記第２チャンネル信号を入力して処理する信号処理装置として、上記信号出力部からの上記第１チャンネル信号が入力される第１チャンネル入力端子と、上記第２チャンネル信号が入力される第２チャンネル入力端子と、上記接地端子に対して接続される接地端子とを備える接続手段を備えた信号処理装置における信号処理方法であって、
上記第１チャンネル入力端子から入力された上記第１チャンネル信号に係数を乗算する第１の係数乗算手順と、
上記第２チャンネル入力端子から入力された上記第２チャンネル信号に係数を乗算する第２の係数乗算手順と、
上記第２チャンネル入力端子から入力された上記第２チャンネル信号から上記第１の係数乗算手順により得られる乗算出力信号を減算する第１の減算手順と、
上記第１チャンネル入力端子から入力された上記第１チャンネル信号から上記第２の係数乗算手順により得られる乗算出力信号を減算する第２の減算手順と、
を備えることを特徴とする信号処理方法。
【請求項９】
第１チャンネル信号が出力される第１チャンネル出力端子と、第２チャンネル信号が出力される第２チャンネル出力端子と、上記第１チャンネルと上記第２チャンネルに対して共通の接地端子とからなる３極端子を備えた信号出力部からの上記第１チャンネル信号および上記第２チャンネル信号を入力して処理する信号処理装置として、上記信号出力部からの上記第１チャンネル信号が入力される第１チャンネル入力端子と、上記第２チャンネル信号が入力される第２チャンネル入力端子と、上記接地端子に対して接続される接地端子とを備える接続手段を備えた信号処理装置において実行されるべきプログラムであって、
上記第１チャンネル入力端子から入力された上記第１チャンネル信号に係数を乗算する第１の係数乗算処理と、
上記第２チャンネル入力端子から入力された上記第２チャンネル信号に係数を乗算する第２の係数乗算処理と、
上記第２チャンネル入力端子から入力された上記第２チャンネル信号から上記第１の係数乗算処理により得られる乗算出力信号を減算する第１の減算処理と、
上記第１チャンネル入力端子から入力された上記第１チャンネル信号から上記第２の係数乗算処理により得られる乗算出力信号を減算する第２の減算処理と、
を信号処理装置に実行させることを特徴とするプログラム。
【請求項１０】
第１チャンネル信号が出力される第１チャンネル出力端子と、第２チャンネル信号が出力される第２チャンネル出力端子と、上記第１チャンネルと上記第２チャンネルに対して共通の接地端子とからなる３極端子を備えた信号出力部からの上記第１チャンネル信号および上記第２チャンネル信号を入力して処理する信号処理装置として、上記信号出力部からの上記第１チャンネル信号が入力される第１チャンネル入力端子と、上記第２チャンネル信号が入力される第２チャンネル入力端子と、上記接地端子に対して接続される接地端子とを備える接続手段と、上記第１チャンネル入力端子から入力された上記第１チャンネル信号に係数を乗算する第１の係数乗算手段と、上記第２チャンネル入力端子から入力された上記第２チャンネル信号に係数を乗算する第２の係数乗算手段と、上記第２チャンネル入力端子から入力された上記第２チャンネル信号から上記第１の係数乗算手段により得られる乗算出力信号を減算する第１の減算手段と、上記第１チャンネル入力端子から入力された上記第１チャンネル信号から上記第２の係数乗算手段により得られる乗算出力信号を減算する第２の減算手段と、を備えた信号処理装置における信号処理方法であって、
上記接続手段における上記第１チャンネル入力端子から入力された上記第１チャンネル信号、上記第２チャンネル入力端子から入力された上記第２チャンネル信号の少なくとも一方を入力して反対チャンネルの信号に基づく漏れ信号の漏れ量を計測する計測手順と、
上記計測手順により計測した上記漏れ量に基づき計算した係数を上記第１の係数乗算手段と上記第２の係数乗算手段に設定する係数設定手順と、
を備えることを特徴とする信号処理方法。
【請求項１１】
第１チャンネル信号が出力される第１チャンネル出力端子と、第２チャンネル信号が出力される第２チャンネル出力端子と、上記第１チャンネルと上記第２チャンネルに対して共通の接地端子とからなる３極端子を備えた信号出力部からの上記第１チャンネル信号および上記第２チャンネル信号を入力して処理する信号処理装置として、上記信号出力部からの上記第１チャンネル信号が入力される第１チャンネル入力端子と、上記第２チャンネル信号が入力される第２チャンネル入力端子と、上記接地端子に対して接続される接地端子とを備える接続手段と、上記第１チャンネル入力端子から入力された上記第１チャンネル信号に係数を乗算する第１の係数乗算手段と、上記第２チャンネル入力端子から入力された上記第２チャンネル信号に係数を乗算する第２の係数乗算手段と、上記第２チャンネル入力端子から入力された上記第２チャンネル信号から上記第１の係数乗算手段により得られる乗算出力信号を減算する第１の減算手段と、上記第１チャンネル入力端子から入力された上記第１チャンネル信号から上記第２の係数乗算手段により得られる乗算出力信号を減算する第２の減算手段と、を備えた信号処理装置において実行されるべきプログラムであって、
上記接続手段における上記第１チャンネル入力端子から入力された上記第１チャンネル信号、上記第２チャンネル入力端子から入力された上記第２チャンネル信号の少なくとも一方を入力して反対チャンネルの信号に基づく漏れ信号の漏れ量を計測する計測処理と、
上記計測処理により計測した上記漏れ量に基づき計算した係数を上記第１の係数乗算手段と上記第２の係数乗算手段に設定する係数設定処理と、
を信号処理装置に実行させることを特徴とするプログラム。
【請求項１２】
第１チャンネル信号と第２チャンネル信号を再生出力する信号再生装置と、上記第１チャンネル信号が入力される第１チャンネル入力端子と上記第２チャンネル信号が入力される第２チャンネル入力端子と上記第１チャンネルと上記第２チャンネルに対して共通の接地端子とからなる３極端子を介して、上記信号再生装置から再生出力された上記第１チャンネル信号と上記第２チャンネル信号を入力して処理する信号処理装置とを含んで構成される信号処理システムであって、
上記信号再生装置は、
所定条件の成立に応じ、上記第１チャンネル入力端子、上記第２チャンネル入力端子の少なくとも一方の入力端子へ基準信号が供給されるように制御する信号出力制御手段を備え、
上記信号処理装置は、
上記第１チャンネル入力端子から入力された上記第１チャンネル信号に係数を乗算する第１の係数乗算手段と、
上記第２チャンネル入力端子から入力された上記第２チャンネル信号に係数を乗算する第２の係数乗算手段と、
上記第２チャンネル入力端子から入力された上記第２チャンネル信号から上記第１の係数乗算手段により得られる乗算出力信号を減算する第１の減算手段と、
上記第１チャンネル入力端子から入力された上記第１チャンネル信号から上記第２の係数乗算手段により得られる乗算出力信号を減算する第２の減算手段と、
制御手段を備えると共に、
上記制御手段は、
上記信号出力制御手段の制御に応じて上記第１チャンネル入力端子へ上記基準信号が入力されることに伴って上記第２チャンネル入力端子側から入力される第２チャンネル漏れ信号の漏れ量、または上記信号出力制御手段の制御に応じて上記第２チャンネル入力端子へ上記基準信号が供給されることに伴って上記第１チャンネル入力端子側から入力される第１チャンネル漏れ信号の音漏れ量、の少なくとも一方を計測する音漏れ計測処理と、
上記音漏れ計測処理により計測した上記漏れ量に基づき計算した係数を上記第１の係数乗算手段と上記第２の係数乗算手段に設定する計数設定処理とを実行する、
ことを特徴とする信号処理システム。
【発明の詳細な説明】
【技術分野】
【０００１】
本発明は、３極端子を介して入力された信号について、その漏れ信号の低減のための処理を行う信号処理装置とその方法に関する。また、そのような信号処理装置において実行されるべきプログラムに関する。さらに、信号再生装置と信号処理装置とを含んで構成される信号処理システムに関する。
【背景技術】
【０００２】
【特許文献１】実開平６−６２６２２号公報
【０００３】
従来より、マイクロフォンからの入力信号を録音する録音装置がある。そして、このような録音装置においては、マイクロフォンと３極端子を介して接続されるように構成されたものが一般的に普及している。
図１２は、このような３極端子を有する録音装置とこれに接続されるマイクロフォンの内部構成を示した回路図である。
まず、マイクロフォン側には、Ｌｃｈ（チャンネル）端子６ｂとＲｃｈ（チャンネル）端子７ｂと、Ｌ／Ｒの両ｃｈに流れる信号が共通して流れるグランド端子８ｂの３つの端子（３極端子）が設けられている。
Ｌｃｈ端子６ｂとグランド端子８ｂの間には、抵抗ＲＸＬ→Ｌｃｈ集音素子ＭＬ→抵抗ＲＹＬ→抵抗ＲＣＯＭが挿入されるようにして設けられる。
また、Ｒｃｈ端子７ｂとグランド端子８ｂの間には、抵抗ＲＸＲ→Ｒｃｈ集音素子ＭＲ→抵抗ＲＹＲ→抵抗ＲＣＯＭが挿入されるようにして設けられる。
【０００４】
録音装置側においては、マイクロフォン側と同様にＬｃｈ端子６ａ，Ｒｃｈ端子７ａ，グランド端子８ａの３極端子が設けられている。
上記Ｌｃｈ端子６ａにはアナログアンプ部５１ａが、上記Ｒｃｈ端子７ａにはアナログアンプ部５１ｂがそれぞれ接続されている。さらにグランド端子８ａとアースの間には例えばフェライトビーズなどとされる抵抗ＲＺＣが接続されている。
そして、アナログアンプ部５１ａは、Ｌｃｈ端子６ｂ→Ｌｃｈ端子６ａを介して入力される、Ｌｃｈ集音素子ＭＬによるＬｃｈ集音信号を増幅する。また、アナログアンプ部５１ｂは、Ｒｃｈ端子７ｂ→Ｒｃｈ端子７ａを介して入力される、Ｒｃｈ集音素子ＭＲによるＲｃｈ集音信号を増幅する。
上記アナログアンプ部５１ａ、５１ｂにより増幅された各信号はそれぞれ記録系の回路（図示せず）へ供給され、所要の記録媒体へ記録される。
【発明の開示】
【発明が解決しようとする課題】
【０００５】
ここで、図１２に示されるようなマイクロフォンと３極端子を介して接続される録音装置は一般的に広く普及しているものとして知られているが、このような構成ではＬｃｈ／Ｒｃｈ間における音漏れの問題がおこる。
例えば、Ｒｃｈ側では集音動作が行われていないと仮定した場合に、Ｌｃｈ集音素子ＭＬに音圧がかかると、マイクロフォン側のＬｃｈにはそれに応じた信号Ｌが得られる。この信号Ｌは、図示しているようにグランド端子８ｂ→抵抗ＲＣＯＭ→抵抗ＲＹＬ→Ｌｃｈ集音素子ＭＬ→抵抗ＲＸＬ→Ｌｃｈ端子６ｂの経路で流れることになる。
このとき、上記抵抗ＲＣＯＭと上記抵抗ＲＹＬの接続点ＸはＲｃｈとも接続されているため、信号Ｌが上記経路で流れると、Ｒｃｈにはその一部が図中に破線で示したようにして漏れこむことになる。すなわち、Ｌｃｈ側からＲｃｈ側への音漏れが生じ、この音漏れ信号がＲｃｈ端子７ｂ→Ｒｃｈ端子７ａを介して録音装置側へ入力されることになるのである。この際、Ｌｃｈ側からの音漏れ信号の比率を１／Ｍとし、Ｌｃｈの信号レベルをＬとすると、音漏れ信号のレベルは図のようにＬ／Ｍと表すことができる。
なお、ＬｃｈとＲｃｈの動作を逆にして行ったとしても、同様に反対ｃｈへの音漏れが発生する。
【０００６】
ここで、このようにｃｈ間で相互に音漏れが発生する要因としては、Ｌｃｈ端子とＲｃｈ端子とＬ／Ｒの両ｃｈの信号が共通して流れるグランド端子を設けた、３極端子の構成をとっているからである。さらに、マイクロフォン側のグランド端子８ｂに抵抗ＲＣＯＭが接続され、さらに録音装置側のグランド端子８ａに抵抗ＲＺＣが接続されているためでもある。
この抵抗ＲＣＯＭの抵抗値が０Ωの場合であって、さらに抵抗ＲＺＣ自体が接続されていないか、若しくは、抵抗ＲＺＣの抵抗値が０Ωの場合には、Ｌ／Ｒの両ｃｈでグランド端子を共通としていても、片側ｃｈに流れる信号は反対ｃｈに音漏れ信号を発生させることはない。
しかし、抵抗ＲＣＯＭは、マイクロフォン側のグランド端子８ｂと録音装置側のグランド端子８ａの接触抵抗によって微少ながらも発生し得る。また、抵抗ＲＺＣは、高周波を減衰させるため録音装置に用いられており、この抵抗ＲＺＣがないとアナログアンプ部５１ａ，５１ｂが破損してしまう可能性があるので、録音装置には必要とされる素子である。
【０００７】
このようにして３極端子を介してＬｃｈ信号とＲｃｈ信号を入力する録音装置では、ｃｈ間で相互に音漏れが生じる。本来ならばＬｃｈ信号とＲｃｈ信号は、それぞれ独立した信号のまま所要の記録媒体へ記録されるべき所が、音漏れ信号が重畳された信号として記録されてしまう。
【課題を解決するための手段】
【０００８】
そこで、本発明では、上記のような漏れ信号の低減を図ることを目的とする。
かかる目的を達成する本発明の信号処理装置は、第１チャンネル信号が出力される第１チャンネル出力端子と、第２チャンネル信号が出力される第２チャンネル出力端子と、上記第１チャンネルと上記第２チャンネルに対して共通の接地端子とからなる３極端子を備えた信号出力部からの上記第１チャンネル信号および上記第２チャンネル信号を入力して処理する信号処理装置であって、先ず、上記信号出力部からの上記第１チャンネル信号が入力される第１チャンネル入力端子と、上記第２チャンネル信号が入力される第２チャンネル入力端子と、上記接地端子に対して接続される接地端子とを備える接続手段を備える。
そして、上記第１チャンネル入力端子から入力された上記第１チャンネル信号に係数を乗算する第１の係数乗算手段と、上記第２チャンネル入力端子から入力された上記第２チャンネル信号に係数を乗算する第２の係数乗算手段とを備える。
さらに、上記第２チャンネル入力端子から入力された上記第２チャンネル信号から上記第１の係数乗算手段により得られる乗算出力信号を減算する第１の減算手段と、上記第１チャンネル入力端子から入力された上記第１チャンネル信号から上記第２の係数乗算手段により得られる乗算出力信号を減算する第２の減算手段とを備えるものである。
【０００９】
上記構成によれば、上記第１の係数乗算手段・第１の減算手段の組により、上記第１チャンネル信号に対し所要の係数を乗算した信号が上記第２チャンネル入力端子より入力される第２チャンネル信号から減算されることになる。また、上記第２の係数乗算手段・第２の減算手段の組によっては、上記第２チャンネル信号に対し所要の係数を乗算した信号が上記第１チャンネル入力端子より入力される第１チャンネル信号から減算されるようになる。すなわち、このような構成により、各チャンネルの入力信号に対し、それぞれ反対チャンネルの信号に所要の係数を乗算した信号を減算することができる。
このような本発明の構成によれば、上記乗算手段の係数の設定値により、上記各チャンネルの入力信号から減算される信号を、反対チャンネルから自チャンネルへの漏れ信号と同等の信号となるように調整することができる。すなわち、これにより、反対チャンネルから自チャンネルへの漏れ信号と同等の信号を自チャンネルの入力信号から減算することができ、この結果、反対チャンネルからの漏れ信号を低減することができる。
【発明の効果】
【００１０】
上記のようにして本発明によっては、各ｃｈ（チャンネル）で相互に生じる漏れ信号の低減を図ることができる。これにより、Ｌｃｈ信号とＲｃｈ信号は、それぞれが独立した信号のまま記録されるようにすることができる。
【発明を実施するための最良の形態】
【００１１】
以下、本発明を実施するための最良の形態（以下実施の形態とする）について説明していく。
[第１の実施の形態]
図１は、第１の実施の形態の信号処理装置としての、携帯型オーディオ録音装置１の内部構成を示すブロック図である。
図示するようにして携帯型オーディオ録音装置１は、スピーカ部５ａ、スピーカ部５ｂ、Ｌｃｈ（チャンネル）端子６ａ、Ｒｃｈ（チャンネル）端子７ａ、グランド端子８ａ、Ａ／Ｄ変換器１０ａ、Ａ／Ｄ変換器１０ｂ、ＤＳＰ（Digital Signal Processor）１１、システムコントローラ１３、エンコーダ部１４、メモリ部１５、操作部１６、増幅部２１、Ｄ／Ａ変換器２２ａ、Ｄ／Ａ変換器２２ｂ、アナログアンプ部２３ａ、アナログアンプ部２３ｂ、抵抗ＲＺＣを有する。
【００１２】
この携帯型オーディオ録音装置１は、上記Ｌｃｈ端子６ａ、上記Ｒｃｈ端子７ａ、上記グランド端子８ａによる３極端子を有しており、先の図１２で示したような３極端子を有するマイクロフォン（後述するマイクロフォン２）と３端子接続が可能とされる。
そして、上記マイクロフォンのＬｃｈ集音素子ＭＬからのＬｃｈオーディオ信号がＬｃｈ端子６ｂ→Ｌｃｈ端子６ａを介して増幅部２１へ供給され、上記マイクロフォンのＲｃｈ集音素子ＭＲからのＲｃｈオーディオ信号がＲｃｈ端子７ｂ→Ｒｃｈ端子７ａを介して増幅部２１へ供給される。
【００１３】
増幅部２１には、アナログアンプ部９ａ，９ｂが備えられている。上記アナログアンプ部９ａは入力されたＬｃｈオーディオ信号を増幅した後Ａ／Ｄ変換器１０ａへ供給する。また上記アナログアンプ部９ｂは入力されたＲｃｈオーディオ信号を増幅した後Ａ／Ｄ変換器１０ｂへ供給する。
【００１４】
Ａ／Ｄ変換器１０ａ，１０ｂでは、入力されたアナログ信号をデジタル信号へ変換する。そして、デジタル信号に変換したＬｃｈオーディオ信号およびＲｃｈオーディオ信号をＤＳＰ１１へ供給する。
なお、上記Ａ／Ｄ変換器１０ａと上記Ａ／Ｄ変換器１０ｂは、音漏れ信号検出のためにも共用されることになるが、これについては後述する。
【００１５】
ＤＳＰ１１は、入力されたＬｃｈオーディオ信号とＲｃｈオーディオ信号に対して各種の音声信号処理を行う。また、特にこの場合、このＤＳＰ１１内には、後述する音漏れ低減のための処理を行うためのＤ−Ｂｌｏｃｋ１２が備えられる。このＤ−Ｂｌｏｃｋ１２には、音漏れ低減用乗算器１７ａ，１７ｂと減算器１８ａ，１８ｂが備えられている。
【００１６】
Ｄ−Ｂｌｏｃｋ１２に入力されたＬｃｈオーディオ信号は減算器１８ａを介してエンコーダ部１４へ入力され、Ｒｃｈオーディオ信号は減算器１８ｂを介してエンコーダ部１４へ入力される。
【００１７】
上記音漏れ低減用乗算器１７ａは、Ｌｃｈオーディオ信号を入力し、当該入力したＬｃｈオーディオ信号に対して、設定された係数を乗算する。そして、このように係数を乗算したＬｃｈオーディオ信号を減算器１８ｂへ出力する。
また、上記音漏れ低減用乗算器１７ｂは、Ｒｃｈオーディオ信号を入力し、当該入力したＲｃｈオーディオ信号に対して、設定された係数を乗算する。そして、このように係数を乗算したＲｃｈオーディオ信号を減算器１８ａへ出力する。
なお、音漏れ低減用乗算器１７ａ，１７ｂへの係数の設定はシステムコントローラ１３により行われるが、それについては後述する。
【００１８】
なお、ここでは便宜上、上記Ｄ−Ｂｌｏｃｋ１２の機能（乗算・減算）をハードウェア構成により実現するものとして示したが、実際には、デジタル信号処理により上記各種の機能が実現されるものである。この場合、上記Ｄ−Ｂｌｏｃｋ１２内の各乗算器１７ａ、１７ｂ、各減算器１８ａ、１８ｂとしての乗算・減算の各処理は、図示は省略したが  ＤＳＰ１１が内部のメモリ内に格納されるプログラムに基づいて実行するものとなる。
【００１９】
エンコーダ部１４は、減算器１８ａ，１８ｂより入力されたＬｃｈオーディオ信号およびＲｃｈオーディオ信号について必要に応じて所定方式によるの圧縮符号化処理を行った後、所定の記録変調符号化処理を行い、メモリ部１５へ供給する。
【００２０】
メモリ部１５には、上記エンコーダ部１４により処理されたオーディオ信号が記録される。このメモリ部１５は、書き換え可能かつシステムの電源供給が途絶えたときにも記録したデータを保持できる不揮発性メモリであり、例えばフラッシュメモリとされる。
【００２１】
システムコントローラ１３は、例えばＣＰＵ（Central Processing Unit）、ＲＯＭ（Read Only Memory）、ＲＡＭ（Random Access Memory）などを備えたマイクロコンピュータで構成され、携帯型オーディオ録音装置１の全体制御を行う。上記ＲＯＭには、動作プログラムや各種処理に用いる定数、固定情報が記憶される。上記ＲＡＭは、ワーク領域やプログラムのロード領域に用いられたり、一時的な情報の蓄積に用いられる。
システムコントローラ１３は、例えばユーザ操作などに応じて、図１２に示したマイクロフォン等から携帯型オーディオ録音装置１へ入力されたオーディオ信号のメモリ部１５への記録動作を制御をする。また、特に本実施の形態の場合、上記システムコントローラ１３は、上記ＲＯＭに格納されるプログラムに基づいて、後の図３に示す音漏れ低減のための動作を実現するための処理を行う。
【００２２】
操作部１６は、図示しない操作子等による入力デバイスであって、ユーザが各種操作入力やデータ入力を行う。例えば、この操作部１６における操作子としては、メモリ部１５への録音の開始／終了を指示するための操作子が設けられる。また、後述する音漏れ低減のための処理の開始を指示するためのスタートスイッチも備えられている。
操作部１６で入力された情報は、システムコントローラ１３に対して操作又はデータの入力情報として伝達される。システムコントローラ１３は、この入力情報に基づき処理を実行する。
【００２３】
Ｄ／Ａ変換器２２ａ，２２ｂ、アナログアンプ部２３ａ，２３ｂ、スピーカ部５ａ，５ｂは、後述する音漏れ低減のための動作において、音漏れ量を計測するときの基準信号を出力するために設けられている。
Ｄ／Ａ変換器２２ａは、システムコントローラ１３から供給される基準信号を入力し、これをアナログ変換してアナログアンプ部２３ａへ出力する。アナログアンプ部２３ａは、入力された基準信号を増幅し、スピーカ部５ａへ出力する。スピーカ部５ａは、入力された基準信号を音声として出力する。
また、Ｄ／Ａ変換器２２ｂは、システムコントローラ１３から供給される基準信号を入力し、これをアナログ変換してアナログアンプ部２３ｂへ出力する。そしてアナログアンプ部２３ｂは、入力された信号を増幅し、スピーカ部５ｂへ出力する。スピーカ部５ｂは、入力された基準信号を音声として出力する。
【００２４】
上記のようにして、図１に示す携帯型オーディオ録音装置１は、Ｌｃｈ／Ｒｃｈの信号を入力するための３極端子を有し、例えば図１２に示したような、同じく３極端子を有するマイクロフォンと接続可能に構成されている。
ここで、上記携帯型オーディオ録音装置１には、Ｌｃｈ／Ｒｃｈの両ｃｈが共通としているグランド端子８ａとアースの間に、例えばフェライトビーズなどとされる抵抗ＲＺＣが接続される。さらに、マイクロフォン側のグランド端子には、例えば図１２に示したような抵抗ＲＣＯＭが接続される。これら抵抗ＲＺＣと抵抗ＲＣＯＭは図１２で説明した理由により、無くすことの出来ない素子である。
そのため、この場合においても、ｃｈ間で相互に音漏れが発生することになる。そして、この音漏れによりＬｃｈ／Ｒｃｈの両ｃｈの信号にはそれぞれ反対チャンネルからの音漏れ信号が重畳されて記録されてしまうことになる。
【００２５】
そこで、本実施の形態では、ｃｈ間で相互に発生する音漏れの防止を図り、Ｌｃｈ／Ｒｃｈの各信号がそれぞれ独立したものとして記録されるようにする。
【００２６】
第１の実施の形態では、このような音漏れを低減するにあたって、スピーカ部５ａ，５ｂからそれぞれ片ｃｈずつ基準信号を音声出力し、それをマイクロフォン２側のＬｃｈ集音素子ＭＬ、Ｒｃｈ集音素子ＭＲによりそれぞれ集音させて、各ｃｈごとにの音漏れ信号を生じさせる手法を採る。そして、このように生じさせた各ｃｈの音漏れ信号についてその漏れ量を計測し、この計測結果に基づき音漏れを低減するものとしている。
【００２７】
ここで、上記のようにして各ｃｈの音漏れ信号を計測するにあたっては、それぞれのｃｈで独立して基準信号の出力・集音が行われるようにする必要がある。すなわち、単に片ｃｈのスピーカ部５のみから基準信号を出力したとしても、マイクロフォン２側ではＬｃｈ集音素子ＭＬ、Ｒｃｈ集音素子ＭＲの双方で集音が行われてしまうからである。
そこで、第１の実施の形態では、片ｃｈづつの計測が可能となるようにするために、図２に示すような仕切り板３を設置するものとしている。
【００２８】
図２は、マイクロフォン２が接続された携帯型オーディオ録音装置１に対して、仕切り板３が設置された場合の外観図を示している。
図示するようにして上記マイクロフォン２には、Ｌｃｈに信号を得るためのＬｃｈ集音素子ＭＬと、Ｒｃｈに信号を得るためのＲｃｈ集音素子ＭＲとが備えられている。
そして、上記仕切り板３は、図示するようにしてＬｃｈ集音素子ＭＬとＲｃｈ集音素子ＭＲとの中間を仕切るようにして設置されている。これにより、スピーカ部５ａから出力した音声がＬｃｈ集音素子ＭＬのみで集音出来るようにし、スピーカ部５ｂから出力した音声はＲｃｈ集音素子ＭＲのみで集音出来るようにする。
【００２９】
第１の実施の形態では、携帯型オーディオ録音装置１に接続されるマイクロフォン２に対してこのような仕切り板３を設置した上で、音漏れ低減のための動作を行うことを前提としている。
以下、第１の実施の形態としての音漏れ低減のための動作について説明する。なお、ここでは一例として、Ｌｃｈに基準信号を出力してＲｃｈに生じる音漏れ信号についてその漏れ量を計測した後に、Ｒｃｈに基準信号を出力してＬｃｈに生じる音漏れ信号についてその漏れ量を計測する順番で音漏れ低減のための動作を行う場合を説明していく。
また、以下の説明においては、便宜上、Ｌｃｈ／Ｒｃｈで生じる音漏れ信号の音漏れ比率（音漏れ信号／元信号）は、どちらも１／Ｍとして表す。
【００３０】
まず、音漏れ低減のための動作は、操作部１６に備えられるスタートスイッチが操作されることに応じて開始される。
システムコントローラ１３は、上記スタートスイッチの操作に応じた上記操作部１６からの入力情報に基づいて、例えば自らが備えるＲＯＭ等のメモリ内に格納されている基準信号（データ）をＤ／Ａ変換器２２ａへ出力する。この場合、基準信号としては、例えば１ｋＨｚの正弦波信号が用いられる。
【００３１】
上記のようにしてＤ／Ａ変換器２２ａに出力された基準信号はアナログ変換され、アナログアンプ部２３ａで増幅された後、スピーカ部５ａより音声出力される。この音声出力された基準信号は、先の仕切り板３の作用でＬｃｈ集音素子ＭＬのみによって集音される。このことで、Ｌｃｈ側のみにオーディオ信号（Ｌｃｈ基準信号）が流れ、それによりＲｃｈ側にはこのＬｃｈ基準信号のみに応じた音漏れ信号（Ｒｃｈ音漏れ信号）が生じる。
そして、上記Ｒｃｈ音漏れ信号は、Ｒｃｈ端子７ｂ→Ｒｃｈ端子７ａ→アナログアンプ部９ｂを介してＡ／Ｄ変換器１０ｂへ入力される。Ａ／Ｄ変換器１０ｂでは、上記Ｒｃｈ音漏れ信号のレベル検出が行われ、その検出結果がシステムコントローラ１３に供給されることになる。
【００３２】
システムコントローラ１３は、上記検出結果を基にＲｃｈ音漏れ信号の漏れ量（Ｒｃｈ音漏れ量）を計測する。そして、このように計測したＲｃｈ音漏れ量の値と、先に出力した基準信号のレベル値とから音漏れ比率の値を計算する。つまり、例えば計測した上記Ｒｃｈ音漏れ量の値を基準信号のレベル値で除算することで、Ｌｃｈ側からＲｃｈ側への音漏れ信号の、元信号からの漏れ比率（Ｒｃｈ音漏れ比率：１／Ｍ）の値を算出する処理を行う。
その上で、このＲｃｈ音漏れ比率１／Ｍに応じた係数（利得）を、Ｄ−Ｂｌｏｃｋ１２内の音漏れ低減用乗算器１７ａに設定する。
【００３３】
ここで、上記のようにして音漏れ低減用乗算器１７ａに対しては、Ｌｃｈ側からＲｃｈ側への音漏れ信号（Ｒｃｈ音漏れ信号）の、元信号からの漏れ比率に応じた係数が設定されることになる。これによれば、実際の録音時においてＬｃｈ端子６ａからＬｃｈオーディオ信号が入力されてきたとき、音漏れ低減用乗算器１７ａの乗算結果としては、Ｒｃｈ音漏れ信号と等価なＲｃｈ音漏れ低減信号が得られるようになる。このＲｃｈ音漏れ低減信号は、減算器１８ｂに供給されることになるので、Ｒｃｈ端子７ａから入力される信号に対しては、このＲｃｈ音漏れ低減信号が減算されることになる。すなわち、これにより、Ｌｃｈオーディオ信号が流れることに伴いＲｃｈ側に漏れたＲｃｈ音漏れ信号を上記Ｒｃｈ音漏れ低減信号によって相殺して打ち消すようにすることができ、この結果、上記Ｒｃｈ音漏れ信号の低減を図ることができる。
【００３４】
続いて、Ｒｃｈ側についての音漏れ低減動作について説明する。
システムコントローラ１３は、上述した音漏れ低減用乗算器１７ａに対する係数設定を行うと、これに続けて、Ｄ／Ａ変換器２２ｂに基準信号を出力する処理を行う。このようにＤ／Ａ変換器２２ｂに出力された基準信号は、アナログ変換された後、アナログアンプ部２３ｂで増幅されてスピーカ部５ｂより音声出力される。この場合、音声出力された基準信号は、仕切り板３の作用によりＲｃｈ集音素子ＭＲのみによって集音されることになる。このことで、この場合はＲｃｈ側のみにオーディオ信号（Ｒｃｈ基準信号）が流れ、それによってＬｃｈに音漏れ信号（Ｌｃｈ音漏れ信号）が生じ、このＬｃｈ音漏れ信号は、Ｌｃｈ端子６ｂ→Ｌｃｈ端子６ａ→アナログアンプ部９ａを介してＡ／Ｄ変換器１０ａへ出力される。Ａ／Ｄ変換器１０ａでは、先のＡ／Ｄ変換器１０ｂと同様に、入力された音漏れ信号のレベル検出を行うようにされ、この検出結果がシステムコントローラ１３に供給される。
【００３５】
システムコントローラ１３は、上記Ａ／Ｄ変換器１０ａから供給される検出結果を基に、上記Ｌｃｈ音漏れ信号の漏れ量（Ｌｃｈ音漏れ量）を計測する。そして、計測したＬｃｈ音漏れ量の値と、基準信号のレベル値とからＬｃｈの音漏れ比率を計算する。すなわち、例えば計測した上記Ｌｃｈ音漏れ量の値を基準信号のレベル値で除算することで、Ｒｃｈ側からＬｃｈ側への音漏れ信号の元信号からの漏れ比率（Ｌｃｈ音漏れ比率：１／Ｍ）の値を算出する。
その上で、このＬｃｈ音漏れ比率１／Ｍに応じた係数（利得）を、Ｄ−Ｂｌｏｃｋ１２内の音漏れ低減用乗算器１７ｂに設定する。
【００３６】
このようにしてＲｃｈ側についても、先のＬｃｈ側と同様の原理に基づき、Ｒｃｈ側からＬｃｈ側への音漏れ信号（Ｌｃｈ音漏れ信号）の、元信号からの漏れ比率に応じた係数が計算されることになる。そして、この係数が、音漏れ低減用乗算器１７ｂに対して設定される。
これにより、実際の録音時においてＲｃｈ端子７ａからＲｃｈオーディオ信号が入力されてきたときに、音漏れ低減用乗算器１７ｂの乗算結果として、上記Ｌｃｈ音漏れ信号と等価なＬｃｈ音漏れ低減信号が得られるようにすることができ、このＬｃｈ音漏れ低減信号が、減算器１８ａによってＬｃｈ端子６ａから入力される信号から減算されるようにすることができる。つまり、この結果、Ｒｃｈオーディオ信号が流れることに伴いＬｃｈ側に漏れたＬｃｈ音漏れ信号を上記Ｒｃｈ音漏れ低減信号によって相殺して打ち消すようにすることができ、Ｌｃｈ側への漏れ信号についてもこれを低減することができる。
【００３７】
上記のようにして、本実施の形態の音漏れ低減動作によれば、実際に計測した音漏れ量に基づき計算した音漏れ比率に応じた係数を各乗算器１７ａ、１７ｂにそれぞれ設定することで、録音時に実際にＬｃｈオーディオ信号、Ｒｃｈオーディオ信号が入力されてきたときに、それらの信号から各ｃｈの音漏れ低減信号が生成され、それら音漏れ低減信号が対応するｃｈの入力信号からそれぞれ減算されるようにすることができる。そして、これによって、各ｃｈに生じる音漏れ信号が低減されるようにすることができる。
このようにして、Ｌｃｈ／Ｒｃｈの相互に発生していた音漏れ信号の低減が図られることで、記録時においては、Ｌｃｈ／Ｒｃｈの信号がそれぞれ独立した信号として記録されるようにすることができる。
【００３８】
続いて、図３に示すフローチャートを参照して、上記により説明した第１の実施の形態としての音漏れ低減のための動作を実現するためにシステムコントローラ１３により行われるべき処理動作について説明する。
なお、この図３に示す処理は、システムコントローラ１３が内蔵する上述したＲＯＭに格納されるプログラムに基づいて実行するものである。
【００３９】
図３において、まずステップＳ１０１では、スタートスイッチのＯＮ操作を待機する。
操作部１６におけるスタートスイッチによる操作入力があった場合は、ステップS１０２に処理を進める。
【００４０】
ステップＳ１０２においては、Ｌｃｈスピーカから基準信号を出力する処理を実行する。
すなわち、システムコントローラ１３内に格納されている基準信号をＤ／Ａ変換器２２ａへ出力することで、スピーカ部５ａから基準信号を音声出力させる。
【００４１】
続くステップＳ１０３では、Ｒｃｈの音漏れ量計測を実行する。
つまり、上記ステップＳ１０２の処理によってＬｃｈスピーカから基準信号が出力されることによっては、これがＬｃｈ集音素子ＭＬで集音されることに伴って生じたＬｃｈ基準信号に基づき、Ｒｃｈ音漏れ信号が生じる。そして、このＲｃｈ音漏れ信号はＲｃｈ端子７ｂ→Ｒｃｈ端子７ａを介して、最終的にＡ／Ｄ変換器１０ｂによってそのレベル検出が行われるので、ステップＳ１０３では、その検出結果に基づいてＲｃｈ音漏れ量を計測する処理を実行する。
【００４２】
次のステップＳ１０４では、基準信号と、その音漏れ量から音漏れ比率を計算する処理を行う。
つまり、先のステップＳ１０２にて出力した基準信号のレベル値を、ステップＳ１０３で計測したＲｃｈ音漏れ量の値で除算することで、Ｒｃｈ音漏れ信号の元信号からの音漏れ比率１／Ｍ（Ｒｃｈ音漏れ比率）を算出する処理を行う。
【００４３】
さらに、続くステップＳ１０５では、音漏れ低減用乗算器に１／Ｍの係数を設定する処理を行う。すなわち、上記ステップＳ１０４において算出したＲｃｈ音漏れ比率１／Ｍに応じた係数を、音漏れ低減用乗算器１７ａに設定する。
【００４４】
ここで、この図３のフローチャートでは、Ｌｃｈ側への基準信号出力を行って音漏れ低減用乗算器１７ａに対する係数設定を行うという、Ｌｃｈ側のみの低減動作時に対応して行われるべき処理動作のみについて示した。Ｒｃｈ側の低減動作については、Ｌｃｈ側と同様となるためその図示は省略したが、以下、確認の意味で、Ｒｃｈ側の低減動作時に対応して行われるべき処理動作について説明しておく。
【００４５】
先ず、システムコントローラ１３は、上記ステップＳ１０４の処理を実行した後に、基準信号をＤ／Ａ変換器２２ｂへ出力する処理を実行する。すなわち、この処理によって、基準信号をスピーカ部５ｂより音声出力させ、最終的にＡ／Ｄ変換器１０ａよりＬｃｈ音漏れ信号のレベル検出結果が供給されるようにする。そして、続く処理として、このＡ／Ｄ変換器１０ａによるレベル検出結果から、Ｌｃｈ音漏れ信号の音漏れ量（Ｌｃｈ音漏れ量）を計測する処理を実行する。
さらに続く処理として、上記計測したＬｃｈ音漏れ量の値と、基準信号のレベル値とからＬｃｈ音漏れ比率（１／Ｍ）を計算する処理（Ｌｃｈ音漏れ量の値／基準信号のレベル値）を行う。その上で、この算出したＬｃｈ音漏れ比率１／Ｍに応じた係数を、音漏れ低減用乗算器１７ｂに設定する処理を実行する。
【００４６】
[第２の実施の形態]
続いて、第２の実施の形態について説明する。
第２の実施の形態は、第１の実施の形態で用いられていた仕切り板３が不要となるようにするものである。第２の実施の形態では、仕切り板３を不要とするにあたり、次の図４に示されるようなマイクロフォン２５を用いるものとしている。
【００４７】
図４におけるマイクロフォン２５としては、基本的な構成は先の図１２に示したマイクロフォンとほぼ同様となる。つまり、Ｌｃｈ端子６ｂとＲｃｈ端子７ｂと、Ｌ／Ｒの両ｃｈに流れる信号が共通して流れるグランド端子８ｂの３極端子が設けられ、グランド端子８ｂとＬｃｈ端子６ｂの間には、抵抗ＲＣＯＭ→抵抗ＲＹＬ→Ｌｃｈ集音素子ＭＬ→抵抗ＲＸＬが挿入されるようにして設けられる（ただし抵抗ＲＹＬとＬｃｈ集音素子ＭＬの間には後述するスイッチＳＷ-ＭＬが挿入される）。また、グランド端子８ｂとＲｃｈ端子７ｂの間には、抵抗ＲＣＯＭ→抵抗ＲＹＲ→Ｒｃｈ集音素子ＭＲ→抵抗ＲＸＲが挿入されるようにして設けられる（ただし抵抗ＲＹＲとＲｃｈ集音素子ＭＲの間には後述するスイッチＳＷ-ＭＲが挿入される）。
【００４８】
そして、このように基本的な３端子接続の構成が採られた上で、先ず、抵抗ＲＹＬとＬｃｈ集音素子ＭＬの間にスイッチＳＷ-ＭＬが挿入され、また、抵抗ＲＹＲとＲｃｈ集音素子ＭＲの間にスイッチＳＷ-ＭＲが挿入される。さらに、図示するようにして［Ｌｃｈ集音素子ＭＬ−スイッチＳＷ-ＭＬ］による直列接続回路、［Ｒｃｈ集音素子ＭＲ−スイッチＳＷ-ＭＲ］による直列接続回路に対し、それぞれ並列に[ダミー抵抗ＲＷＬ−スイッチＳＷ-ＷL]による直列接続回路、[ダミー抵抗ＲＷＲ−スイッチＳＷ-ＷＲ]による直列接続回路が接続される。
【００４９】
この場合、スイッチＳＷ-ＭＬとスイッチＳＷ-ＷＬがオン／オフ制御されることにより、Ｌｃｈ集音素子ＭＬとダミー抵抗ＲＷＬのどちらか一方のみが回路全体に接続されることとなる。また、スイッチＳＷ-ＭＲとスイッチＳＷ-ＷＲがオン／オフ制御されることにより、Ｒｃｈ集音素子ＭＲとダミー抵抗ＲＷＲのどちらか一方のみが回路全体に接続されることとなる。
これにより、マイクロフォン２５は、例えばダミー抵抗ＲＷＲとＬｃｈ集音素子ＭＬが回路全体に接続されるように制御された場合、第１の実施の形態のように仕切り板３を用いなくてもＬｃｈ集音素子ＭＬのみで集音することができる。また、例えばダミー抵抗ＲＷＬとＲｃｈ集音素子ＭＲが回路全体に接続されるように制御された場合においては、同様に仕切り板３を用いずにＲｃｈ集音素子ＭＲのみで集音することができる。
【００５０】
上記のようにしてマイクロフォン２５に設けられるスイッチＳＷ-ＷＬ、スイッチＳＷ-ＷＲ、スイッチＳＷ-ＭＬ、スイッチＳＷ-ＭＲに対しては、そのオン／オフ制御を行うための制御信号が供給される。そして、この制御信号を、携帯型オーディオ録音装置２６側から供給するためのＬｃｈ制御端子１９ｂ、Ｒｃｈ制御端子２０ｂが設けられる。
このＬｃｈ制御端子１９ｂから入力された制御信号はスイッチＳＷ-ＷＬへ供給されると共にスイッチＳＷ-ＭＬへも供給される。また、このＲｃｈ制御端子２０ｂから入力された制御信号はスイッチＳＷ-ＷＲへ供給されると共にスイッチＳＷ-ＭＲへも供給される。
【００５１】
このようなマイクロフォン２５に対応して音漏れ低減のための動作を行う第２の実施の形態としての携帯型オーディオ録音装置２６の内部構成を、次の図５に示す。
なお、図５において、既に第１の実施の形態（図１）で説明した部分については同一の符号を付して説明を省略する。
この携帯型オーディオ録音装置２６では、接続されたマイクロフォン２５に対し、上述した制御信号を供給するためのＬｃｈ制御端子１９ａ、Ｒｃｈ制御端子２０ａが追加される。これらＬｃｈ制御端子１９ａ、Ｒｃｈ制御端子２０ａに対しては、上記制御信号がシステムコントローラ１３から供給されるようになっている。
【００５２】
上記構成による第２の実施の形態の携帯型オーディオ録音装置２６によって行われる、第２の実施の形態としての音漏れ低減動作について説明する。
先ず、この場合も音漏れ低減動作としては、ユーザ操作に応じて開始するものとされる。また、この場合もＬｃｈ→Ｒｃｈの順に基準信号を出力して各ｃｈの音漏れ量計測・係数設定を行うものとする。なお、以下の説明にあたり、マイクロフォン２５におけるスイッチＳＷ-ＭＬとスイッチＳＷ-ＭＲの初期状態はオンであるとし、スイッチＳＷ-ＷＬとスイッチＳＷ-ＷＲの初期状態はオフであるとする。
【００５３】
先ず、システムコントローラ１３は、操作部１６よりスタートスイッチのオン操作に応じた操作情報が入力されると、マイクロフォン２５におけるスイッチＳＷ-ＷＲをオンとし、スイッチＳＷ-ＭＲをオフとするための制御信号を、Ｒｃｈ制御端子２０ａに供給する。当該制御信号はＲｃｈ制御端子２０ａからマイクロフォン２５側のＲｃｈ制御端子２０ｂを介してスイッチＳＷ-ＷＲに供給されると共にスイッチＳＷ-ＭＲへも供給され、これによりそれぞれ初期状態から反転してスイッチＳＷ-ＷＲがオンとなりスイッチＳＷ-ＭＲがオフとなる。
【００５４】
システムコントローラ１３は、このようにスイッチＳＷ-ＷＲをオンとし、スイッチＳＷ-ＭＲをオフとした状態で、Ｄ／Ａ変換器２２ａに対して基準信号を供給してこれをスピーカ部５ａから出力させる。
【００５５】
ここで、この場合、マイクロフォン２５側では、スイッチＳＷ-ＭＲがオフとされることでＲｃｈ集音素子ＭＲは回路に接続されないため、このＲｃｈ集音素子ＭＲによってスピーカ部５ａから出力されたＬｃｈ側の基準信号が集音されてしまうことはない。すなわち、このことで、スピーカ部５ａから出力された基準信号をＬｃｈ集音素子ＭＬのみによって集音させることができる。
また、スイッチＳＷ-ＷＲがオンとされたことにより、Ｒｃｈ集音素子ＭＲが回路に未接続であっても、Ｒｃｈ側に生じた音漏れ信号を、グランド端子８ｂ→抵抗ＲＣＯＭ→抵抗ＲＹＲ→ダミー抵抗ＲＷＲ→スイッチＳＷ-ＷＲ→抵抗ＲＸＲ→Ｒｃｈ端子７ｂの経路で流すことができる。
つまり、これによりＬｃｈ基準信号のみに基づくＲｃｈ漏れ信号が計測されるようにすることができる。
【００５６】
なお、このとき、実際の録音動作時においては、スイッチＳＷ-ＷＲはオフとされ、スイッチＳＷ-ＭＲがオンとされるので、[ダミー抵抗ＲＷＲ-スイッチＳＷ-ＷＲ]による直列接続回路は信号が流れない状態であり、また、Ｒｃｈ集音素子ＭＲが回路に接続されている状態にあることになる。従って、その際の音漏れ量は、この［Ｒｃｈ集音素子ＭＲ−スイッチＳＷ-ＭＲ］による直列接続回路の合成抵抗値が影響を与えるものとなる。
第２の実施の形態では、このことを考慮し、[ダミー抵抗ＲＷＲ-スイッチＳＷ-ＷＲ]による直列接続回路の合成抵抗値を、［Ｒｃｈ集音素子ＭＲ−スイッチＳＷ-ＭＲ］による直列接続回路の合成抵抗値と等しくなるように設定するものとしている。このようにすることで、上記のようにスイッチＳＷ-ＷＲをオンとすることでＲｃｈ集音素子ＭＲを回路に未接続とし、スイッチＳＷ-ＷＲをオンとした場合にも、実際の録音時に生じる音漏れ量と同等の音漏れ量が計測されるように図ることができる。
【００５７】
また、この際、上記[ダミー抵抗ＲＷＲ−スイッチＳＷ-ＷＲ]による直列接続回路としては、上記もしたようにその各端部がそれぞれ他の素子が介在しないように［Ｒｃｈ集音素子ＭＲ−スイッチＳＷ-ＭＲ］による直列接続回路に対して直接的に接続されるものとしているが、このことによっても、実際の録音時に生じる音漏れ量と同等の音漏れ量が計測されるように図られている。
【００５８】
上記のようにして第２の実施の形態によっても、Ｌｃｈ側の基準信号の出力時に対応させて、マイクロフォン側でＬｃｈの集音素子のみによってこの基準信号が集音されるようにすることができる。すなわち、これによってＲｃｈ漏れ信号の計測が適正に行われるようにすることができる。
なお、このようにＲｃｈ音漏れ信号が得られた以降、その計測から音漏れ低減用乗算器１７ａに対する係数設定までの動作は第１の実施の形態の場合と同様となるので説明は省略する。
【００５９】
上記のようにしてＬｃｈ側についての係数設定が完了すると、続いてはＲｃｈ側について同様の動作を開始する。
先ずは、マイクロフォン２５におけるスイッチＳＷ-ＷＬをオンとし、スイッチＳＷ-ＭＬをオフとするための制御信号を、Ｌｃｈ制御端子１９ａに供給する。このようにＬｃｈ制御端子１９ａに供給された制御信号は、マイクロフォン２５側のＬｃｈ制御端子１９ｂを介してスイッチＳＷ-ＷＬに供給されると共にスイッチＳＷ-ＭＬへも供給され、これによりそれぞれ初期状態から反転してスイッチＳＷ-ＷＬがオンとなり、スイッチＳＷ-ＭＬがオフとなる。
【００６０】
システムコントローラ１３は、このようにスイッチＳＷ-ＷＬをオンとし、スイッチＳＷ-ＭＬをオフとした状態で、Ｄ／Ａ変換器２２ｂに対して基準信号を供給し、これをスピーカ部５ｂから出力させる。
この場合もマイクロフォン２５側では、スイッチＳＷ-ＭＬがオフとされ、Ｌｃｈ集音素子ＭＬは回路に未接続であるので、Ｒｃｈ側のスピーカ部５ｂから出力された基準信号がＬｃｈ集音素子ＭＬによって集音されてしまうことはない。よって、スピーカ部５ｂから出力された基準信号をＲｃｈ集音素子ＭＲのみに集音させることができる。
また、スイッチＳＷ-ＷＬがオンとされたことにより、Ｌｃｈ集音素子ＭＬが回路に未接続であっても、Ｌｃｈ側に生じた音漏れ信号を、グランド端子８ｂ→抵抗ＲＣＯＭ→抵抗ＲＹＬ→スイッチＳＷ-ＷＬ→ダミー抵抗ＲＷＬ→抵抗ＲＸＬ→Ｌｃｈ端子６ｂの経路で流すことができる。
つまり、これにより、Ｒｃｈ基準信号のみに基づくＬｃｈ漏れ信号が計測されるようにすることができる。
【００６１】
上記のように、この場合としてもＲｃｈ基準信号のみに応じたＬｃｈ音漏れ信号を生じさせることができ、これによってＲｃｈ側からＬｃｈ側への音漏れ信号の計測についてもこれが適正に行われるようにすることができる。
【００６２】
なお、上記スイッチＳＷ-ＷＬの系においても、[ダミー抵抗ＲＷＬ−スイッチＳＷ-ＷＬ]による直列接続回路の合成抵抗値は、[Ｌｃｈ集音素子ＭＬ−スイッチＳＷ-ＭＬ]による直列接続回路の合成抵抗値と同じとなるように設定されており、これによって実際の録音時に生じる音漏れ量と同等の音漏れ量が計測されるように図られている。
また、上述もしたようにこの[ダミー抵抗ＲＷＬ−スイッチＳＷ-ＷＬ]による直列接続回路としても、その各端部が[Ｌｃｈ集音素子ＭＬ−スイッチＳＷ-ＭＬ]による直列接続回路に対して直接的に接続されており、この点でも実際の録音時に生じる音漏れ量と同等の音漏れ量が計測されるように図られていることになる。
【００６３】
なお、このようにＬｃｈ音漏れ信号が得られた以降、その計測から音漏れ低減用乗算器１７ｂに対する係数設定までの動作としても先の第１の実施の形態の場合と同様となるので説明は省略する。
【００６４】
図６は、上記により説明した第２の実施の形態としての音漏れ低減動作を実現するために行われるべき処理動作について示したフローチャートである。
なお、この図６に示す処理動作は、図５に示したシステムコントローラ１３が、内蔵するＲＯＭに格納されるプログラムに基づいて実行するものである。
【００６５】
先ず、ステップＳ２０１においては、先の図３におけるステップＳ１０１と同様に、スタートスイッチのＯＮ操作を待機するようにされる。そして、当該ＯＮ操作が行われた場合は、ステップＳ２０２において、スイッチＳＷ-ＷＲをオンとし、スイッチＳＷ-ＭＲをオフとするための処理を行う。つまり、マイクロフォン２５におけるスイッチＳＷ-ＷＲをオンとし、スイッチＳＷ-ＭＲをオフとするための制御信号を、Ｒｃｈ制御端子２０ａに供給する。
【００６６】
続くステップＳ２０３〜ステップＳ２０６までの処理では、先の図３におけるステップＳ１０２〜Ｓ１０５と同様の処理を実行する。これにより、この場合も音漏れ低減用乗算器１７ａに対して、Ｒｃｈ音漏れ信号を打ち消すための信号をＬｃｈオーディオ信号に基づき生成するための係数を設定することができる。
【００６７】
さらに、続くステップ２０７においては、スイッチＳＷ-ＷＲをオフとし、スイッチＳＷ-ＭＲをオンとするための処理を行う。つまり、スイッチＳＷ-ＷＲをオフとし、スイッチＳＷ-ＭＲをオンとするための制御信号を、Ｒｃｈ制御端子２０ａに供給する。
【００６８】
なお、図示は省略したが、Ｒｃｈ側からＬｃｈ側への音漏れの低減を図るための処理としては、上記ステップＳ２０７の処理に続けて、上記ステップＳ２０２〜Ｓ２０７までの処理におけるＬｃｈとＲｃｈを逆とした処理を実行するものとすればよい。
すなわち、ステップＳ２０７に続けては、スイッチＳＷ-ＷＬをオンとしスイッチＳＷ-ＭＬをオフとするための処理（Ｓ２０２に対応）→スピーカ部５ｂから基準信号を出力する処理（Ｓ２０３に対応）→Ｌｃｈの音漏れ量計測処理（Ｓ２０４に対応）→基準信号とその音漏れ量から音漏れ比率（１／Ｍ）を計算する処理（Ｓ２０５に対応）→音漏れ低減用乗算器（１７ｂ）に１／Ｍの係数を設定する処理（Ｓ２０６に対応）→スイッチＳＷ-ＷＬをオフとしスイッチＳＷ-ＭＬをオンとするための処理（Ｓ２０７に対応）、を行えばよいものである。
【００６９】
[第３の実施の形態]
続いて、第３の実施の形態について説明する。
これまでの各実施の形態では、携帯型オーディオ録音装置がマイクロフォンの集音動作に基づき入力されるオーディオ信号について記録を行う場合について例示したが、第３の実施の形態は、外部の再生装置からライン入力されるオーディオ信号について記録を行う場合に音漏れの低減を図るための手法を提案するものである。
【００７０】
図７は、携帯型オーディオ録音装置２８とオーディオ再生装置３０とで構成される、第３の実施の形態としてのオーディオシステム（信号処理システム）５０の概要について説明するための図である。
先ず、図７（ａ）では、オーディオシステム５０の構成を示している。この図に示される第３の実施の形態の携帯型オーディオ録音装置２８としても、各実施の形態において説明した各携帯型オーディオ録音装置と同様、オーディオ信号を外部入力するための端子としてＬｃｈ端子６ａ、Ｒｃｈ端子７ａ、グランド端子８ａによる３極端子を備えている。
また、オーディオ再生装置３０は、少なくともＬｃｈオーディオ信号、Ｒｃｈオーディオ信号の２ｃｈのオーディオ信号の再生が可能に構成され、再生したＬｃｈオーディオ信号、Ｒｃｈオーディオを外部装置（この場合は特に携帯型オーディオ録音装置２８）にライン出力することが可能に構成される。
【００７１】
ここで、図７（ｂ）では、オーディオ再生装置３０からの出力コードが携帯型オーディオ録音装置２８の３極端端子に対して接続された状態を拡大して模式的に示しているが、この図を参照して分かるように、オーディオ再生装置３０が備えるライン出力端子が、Ｌｃｈ端子３１ｘとそのグランド端子３１ｙ、Ｒｃｈ端子３２ｘとそのグランド端子３２ｙによる４極端子である場合としても、携帯型オーディオ録音装置２８に対しては、最終的に４極→３極に変換されて各信号が入力されることになる。すなわち、外部装置側から３極端子でライン入力する場合としても、録音装置側ではグラント端子がＬｃｈ、Ｒｃｈで共用される構成に変わりはないので、先に説明したマイクロフォンから３極端子入力する場合と同様にしてＬｃｈ／Ｒｃｈの間で相互に音漏れが生じることになる。
そのため、このように外部装置から３極端子を介してオーディオ信号をライン入力する場合においても、録音装置で同様に音漏れ低減動作を行うことがＬｃｈ信号、Ｒｃｈ信号の独立性を確保する上で有効となる。
【００７２】
図８は、図７に示されるオーディオ再生装置３０の内部構成を示している。
図示するようにしてオーディオ再生装置３０には、Ｌｃｈ端子３１ｘとそのグランド端子３１ｙ、Ｒｃｈ端子３２ｘとそのグランド端子３２ｙ、制御端子３３、ＨＤＤ（Hard Disc Drive）３４、デコーダ３５、信号処理部３６、Ｄ／Ａ変換器３７ａ、Ｄ／Ａ変換器３７ｂ、アンプ３８ａ、アンプ３８ｂ、バス３９、システムコントローラ４０、操作部４１が備えられる。
【００７３】
Ｌｃｈ端子３１ｘ、Ｒｃｈ端子３２ｘ、グランド端子３１ｙ、グランド端子３２ｙは、ライン出力端子としてそれぞれＬｃｈオーディオ信号、Ｒｃｈオーディオ信号を外部出力するために設けられる。図示するようにしてグランド端子３１ｙは抵抗ＲＡＬを介してアースに接続される。またグランド端子３２ｙは抵抗ＲＡＲを介してアースに接続される。
なお、ここでは、ライン出力端子としてこれら４極の端子が備えられる場合を例示しているが、例えばライン出力端子として３極端子が採用される場合には、グランド端子としてＬｃｈ、Ｒｃｈに共通のグランド端子のみが備えられるものとなる。なお、上述もしたように、何れの場合にも３極端子によるライン入力端子が備えられる携帯型オーディオ録音装置２８に対しては、オーディオ再生装置３０のライン出力が最終的に３極の状態で入力されることに変わりはない。すなわち、音漏れが発生することに変わりはない。
また、この図７（ｂ）の端子構造からも理解されるように、正しくは、全ての動作において各ｃｈ端子とそのグランド端子についての記述が必要となるが、説明の簡略化のため信号の入出力は各ｃｈ端子のみに着目した記述とし、グランド端子は音漏れの要因という位置づけのみで説明を行う。
【００７４】
制御端子３３は、オーディオ再生装置３０と携帯型オーディオ録音装置２８との間で制御信号のやり取りが可能となるようにするために設けられる。図示するようにしてこの制御端子３３に対しては、システムコントローラ４０からの制御線が接続されている。
【００７５】
ＨＤＤ３４は、この場合は主にオーディオ信号の記録媒体として用いられ、例えば所定の圧縮符号化方式により圧縮されたオーディオ信号が、所定の記録変調符号化方式で変調された状態で記録される。
ＨＤＤ３４より読み出されたオーディオ信号はデコーダ３５に供給され、ここで記録変調符号の復調処理、及び圧縮符号のデコード処理が施されることで、最終的にＬｃｈ／Ｒｃｈのデジタルオーディオ信号が得られる。
【００７６】
デコーダ３５で得られたデジタルデータによるＬｃｈオーディオ信号（Ｌ）、及びＲｃｈオーディオ信号（Ｒ）は、信号処理部３６に供給され、ここで所要の音声信号処理が施された後、図のようにＬｃｈオーディオ信号はＤ／Ａ変換器３７ａに供給され、Ｒｃｈオーディオ信号はＤ／Ａ変換器３７ｂに供給される。
【００７７】
Ｄ／Ａ変換器３７ａにてアナログ信号に変換されたＬｃｈオーディオ信号はアンプ３８ａに供給され、当該アンプ３８ａにより増幅された後、上述したＬｃｈ端子３１ｘから外部出力される。
また、Ｄ／Ａ変換器３７ｂにてアナログ信号に変換されたＲｃｈオーディオ信号はアンプ３８ｂに供給されて増幅された後、Ｒｃｈ端子３２ｘから外部出力される。
【００７８】
システムコントローラ４０は、例えばＲＯＭ、ＲＡＭ、ＣＰＵを備えたマイクロコンピュータで構成され、オーディオ再生装置３０の全体制御を行う。システムコントローラ４０は、図中バス３９を介してＨＤＤ３４、デコーダ３５、信号処理部３６の各部との間で各種データやコマンドのやり取りを行う。
例えば、システムコントローラ４０は、図中操作部４１からの操作情報に基づきＨＤＤ３４からのオーディオ信号の読み出し動作の制御を行う。
また、特にこの場合のシステムコントローラ４０は、例えば上記ＲＯＭに格納されるプログラムに基づき、後の図１０に示す処理動作を実行するようにされている。
【００７９】
操作部４１は、オーディオ再生装置３０の筐体外部に表出するようにして設けられた各種操作子を備え、ユーザからの操作入力の受け付けを行う。この操作部４１に備えられる操作子としては、例えばオーディオ信号の再生・停止を指示するための再生スイッチ・停止スイッチなどが備えられる。また、特に本実施の形態の場合は、後述する第３の実施の形態としての音漏れ低減動作の開始を指示するためのスタートスイッチが設けられている。
操作部４１は、操作の行われた操作子に応じた操作情報をシステムコントローラ４０に対して共有する。システムコントローラ４０は、入力された操作情報に応じた制御処理を実行して、必要な各部を制御する。これによってオーディオ再生装置３０がユーザ操作に応じて動作するようにされている。
【００８０】
図９は、第３の実施の形態としての携帯型オーディオ録音装置２８の内部構成について示している。なお、図９において、既に先の第１の実施の形態で説明した部分については同一の符号を付して説明を省略する。
【００８１】
この図９に示されるようにして、第３の実施の形態の携帯型オーディオ録音装置２８としては、先の図１に示した第１の実施の形態の携帯型オーディオ録音装置１の構成に対し、制御端子４２を追加したものとされる。
制御端子４２に対しては、システムコントローラ１３からの制御線が接続されている。この制御端子４２は、図８に示したオーディオ再生装置３０側の制御端子３３と所定の配線ケーブルを介して接続可能とされ、当該ケーブルによって携帯型オーディオ録音装置２８側とオーディオ再生装置３０側とが接続されることで、後述するようにして各システムコントローラ（１３・４０）間で制御信号のやり取りを行うことが可能とされる。
【００８２】
ここで、この第３の実施の形態のように、外部のオーディオ再生装置３０にて再生されたオーディオ信号をライン入力して携帯型オーディオ録音装置２８側で録音する場合において、音漏れは、あくまでオーディオ再生装置３０側から再生されたオーディオ信号が入力されることで生じるものであることから、音漏れ量の計測時においても、そのための基準信号はオーディオ再生装置３０側から出力させるのが順当である。
このことから、第３の実施の形態の音漏れ低減動作では、携帯型オーディオ録音装置２８側において、オーディオ再生装置３０側が出力した基準信号が流されたときの音漏れ量を計測するようにされている。
【００８３】
具体的に、先ずこの場合においても、ユーザ操作に応じて音漏れ低減動作を開始するようにされる。第３の実施の形態の場合、先の図８にて説明したオーディオ再生装置３０側の操作部４１に設けられたスタートスイッチの操作に応じて、音漏れ低減のための動作を開始する。
この操作部４１におけるスタートスイッチがオンとされたことに応じ、オーディオ再生装置３０側のシステムコントローラ４０は、Ｌｃｈ端子３１ｘを介して基準信号を出力する。この場合、システムコントローラ４０は、内部のＲＯＭ等に予め基準信号がデータとして格納されており、これを信号処理部３６に供給して外部出力させる。なお、この場合の基準信号としても、例えば１ｋHzなど所定周波数による正弦波信号が用いられる。
【００８４】
このようにしてオーディオ再生装置３０側のＬｃｈ端子３１ｘから出力された基準信号は、図９に示すＬｃｈ端子６ａを介して携帯型オーディオ録音装置２８側に入力される。そして、この過程において、Ｒｃｈ側に音漏れ信号（Ｒｃｈ音漏れ信号）を生じさせ、このＲｃｈ音漏れ信号がＲｃｈ端子７ａを介して携帯型オーディオ録音装置２８に入力されることになる。
【００８５】
なお、このようにして生じたＲｃｈ音漏れ信号についての漏れ量の計測動作、及び計測結果に基づく音漏れ低減用乗算器１７ａに対する係数設定動作については、先の第１の実施の形態で説明したものと同様となる。
但し、この場合、先の各実施の形態の場合とは異なり、携帯型オーディオ録音装置２８自らが基準信号を出力するものではないので、音漏れ比率の計算時において必要な基準信号のレベル情報が取得されている必要がある。この場合、基準信号のレベル情報は予めシステムコントローラ１３内に格納されているものとする。或いは、この基準信号のレベル情報は、予めオーディオ再生装置３０のシステムコントローラ４０がシステムコントローラ１３に送信して取得させておくようにすることもできる。
【００８６】
このようにしてＬｃｈ側からの基準信号の出力に応じたＲｃｈ音漏れ信号についての漏れ量計測・係数設定動作が完了すると、オーディオ再生装置３０においては、Ｒｃｈ端子３２ｘからの基準信号出力を行う。このＲｃｈ端子３２ｘからの基準信号出力に応じては、当該基準信号が図９に示すＲｃｈ端子７ａを介して携帯型オーディオ録音装置２８側に入力される過程において、Ｌｃｈ側に音漏れ信号（Ｌｃｈ音漏れ信号）を生じさせ、このＬｃｈ音漏れ信号がＬｃｈ端子６ａを介して携帯型オーディオ録音装置２８に入力されることになる。
【００８７】
なお、このようにして生じたＬｃｈ音漏れ信号についての漏れ量計測動作、及び計測結果に基づく音漏れ低減用乗算器１７ｂに対する係数設定動作についても、先の第１の実施の形態で説明したものと同様となることから説明は省略する。
【００８８】
以上のような第３の実施の形態としての音漏れ低減動作により、携帯型オーディオ録音装置２８側でライン入力されるオーディオ信号を記録する場合においても、Ｌｃｈ／Ｒｃｈの双方に生じる音漏れの低減が図られるようにすることができる。
【００８９】
図１０は、上記により説明した第３の実施の形態としての音漏れ低減動作を実現するためにオーディオシステム５０において行われるべき処理動作について示したフローチャートである。
なお、この図１０において、オーディオ再生装置３０として示す処理動作は図８に示したシステムコントローラ４０が内蔵するＲＯＭに格納されるプログラムに基づいて実行するものであり、携帯型オーディオ録音装置２８として示す処理動作は、図９に示されるシステムコントローラ１３が内蔵するＲＯＭに格納されるプログラムに基づいて実行するものである。
【００９０】
先ず、オーディオ再生装置３０側において、システムコントローラ４０は、図中ステップＳ３０１において、スタートスイッチのＯＮ操作を待機するようにされる。図８に示した操作部４１よりスタートスイッチのＯＮ操作に応じた操作情報が入力された場合は、ステップＳ３０２において、先ずは携帯型オーディオ録音装置２８側に基準信号出力開始通知を行う。すなわち、図８に示した制御端子３３を介して当該基準信号出力開始通知を出力する。
このステップＳ３０２による開始通知出力処理を実行すると、続くステップＳ３０３において、携帯型オーディオ録音装置２８側からの基準信号出力要求を待機する処理を実行するようにされる。
【００９１】
携帯型オーディオ録音装置２８側において、システムコントローラ１３は、ステップＳ４０１において上記基準信号出力開始通知を待機するようにされている。図９に示した制御端子４２を介して上記基準信号出力開始通知が入力された場合は、ステップＳ４０２において、Ｌｃｈへの基準信号出力要求をオーディオ再生装置３０側に対して行う。すなわち、オーディオ再生装置３０側に対してＬｃｈ側への基準信号の出力を要求するための制御信号を制御端子４２を介して出力する。
【００９２】
オーディオ再生装置３０側においては、上記基準信号出力要求としての制御信号が入力されると、先のステップＳ３０３の待機処理からステップＳ３０４に処理を進める。
ステップＳ３０４では、Ｌｃｈに基準信号を出力する処理を実行する。つまり、予め内部のＲＯＭ等に格納された基準信号を信号処理部３６に供給し、これをＬｃｈ端子３１ｘから出力させる処理を実行する。
【００９３】
携帯型オーディオ録音装置２８側において、システムコントローラ１３は、先のステップＳ４０２による出力要求処理を実行すると、次のステップＳ４０３において、Ｒｃｈの音漏れ量を計測するための処理を行う。つまり、上記ステップＳ３０４の処理によってＬｃｈ側に基準信号が出力されることに伴って得られる、Ａ／Ｄ変換器１０ｂによるＲｃｈ音漏れ信号のレベル検出結果を入力し、それに基づいてＲｃｈの音漏れ量を計測する。
このＲｃｈの音漏れ量の計測処理以降、ステップＳ４０４、ステップＳ４０５の各処理は、先の図３に示したステップＳ１０４、ステップＳ１０５の処理とそれぞれ同様の処理となるので説明は省略する。
【００９４】
ステップＳ４０５において音漏れ低減用乗算器１７ａに対する係数設定処理を実行すると、続くステップＳ４０６において、Ｒｃｈへの基準信号の出力要求を行う。つまり、オーディオ再生装置３０側に対してＲｃｈ側への基準信号の出力を要求するための制御信号を制御端子４２を介して出力する。
【００９５】
オーディオ再生装置３０側では、先のステップＳ３０４の処理を実行した後、上記Ｒｃｈへの基準信号出力要求が供給されるのをステップＳ３０５において待機している。そして、当該出力要求が供給された場合は、ステップＳ３０６に進み、Ｒｃｈに基準信号を出力する処理を実行する。つまり、例えば内蔵するＲＯＭ等に格納された基準信号を信号処理部３６に供給してこれをＲｃｈ端子３２ｘから出力させる処理を実行する。
【００９６】
携帯型オーディオ装置装置２８側においては、先のステップＳ４０６による出力要求処理を実行すると、次のステップＳ４０７において、Ｌｃｈの音漏れ量を計測するための処理を実行する。すなわち、上記ステップＳ３０６の処理によってＲｃｈ側に基準信号が出力されることに伴って得られる、Ａ／Ｄ変換器１０ａによるＬｃｈ音漏れ信号のレベル検出結果を入力し、それに基づきＬｃｈの音漏れ量を計測する。
このＬｃｈの音漏れ量の計測処理以降、ステップＳ４０８、ステップＳ４０９の処理としては、先のステップＳ４０４、ステップＳ４０５の処理におけるＬｃｈ／Ｒｃｈが逆となる、また係数を設定すべき乗算器が音漏れ低減用乗算器１７ｂとなる以外は同様の処理となるので、その説明は省略する。
【００９７】
なお、第３の実施の形態においては、音漏れ低減動作の開始を指示するための操作子（スタートスイッチ）がオーディオ録音装置３０側に備えられる場合を例示したが、このスタートスイッチは携帯型オーディオ録音装置２８側に備えられるものとしてもよい。
その場合、携帯型オーディオ録音装置２８側で当該スイッチのＯＮ操作を待機し、このＯＮ操作に応じてオーディオ再生装置３０側に基準信号出力を要求する処理を実行するものとすればよい。
また、これに応じオーディオ再生装置３０側では、このような携帯型オーディオ録音装置２８側からの基準信号出力要求を待機し、その要求に応じて基準信号を出力する処理を実行するものとすればよい。
【００９８】
また、第３の実施の形態において、オーディオ再生装置３０は、ＨＤＤに記録されるオーディオ信号について再生を行う構成としたが、例えばＣＤ（Compact Disc）やＤＶＤ（Digital Versatile Disc）などの光ディスク記録媒体、或いはフラッシュメモリなどの他の記録媒体に記録されるオーディオ信号を再生するように構成することもできる。
或いは、例えばラジオ受信機など、記録媒体に記録されるオーディオ信号を再生する以外の構成とすることもできる。
【００９９】
[変形例]
以上、本発明の各実施の形態について説明したが、本発明としてはこれまでに説明した各実施の形態に限定されるべきものではない。
例えば実施の形態では、Ｌｃｈ側からＲｃｈへの音漏れ信号の漏れ量計測・係数設定を行った後に、Ｒｃｈ側からＬｃｈ側への音漏れ信号の漏れ量計測・係数設定を行う場合を例示したが、その順序を逆とすることもできる。
また、係数設定のタイミングは、このように片ｃｈずつ別々のタイミングで行う以外にも、先に計算しておいた係数を保持しておくなどして同時に行うことも可能である。
【０１００】
また、実施の形態では、各ｃｈでそれぞれ独立して音漏れ量計測を行い、それぞれの結果に基づきそれぞれ対応するｃｈの乗算器に計測結果に基づく係数を設定する場合を例示したが、音漏れ量計測は片ｃｈのみについて行い、その結果から得られた漏れ比率に応じた係数を両ｃｈの代表値として各乗算器に設定するといったこともできる。このような手法によれば、計測に要する時間は単純に１／２に削減できるので、その分音漏れ低減動作に要する時間を大幅に削減できる。例えば、音漏れ信号の発生の原因となる端子部分の構成がＬｃｈ・Ｒｃｈで対称とされる場合などには、漏れ量は各ｃｈで同等とみなすことができるので、上記手法はそのような場合に有効な手法となる。
【０１０１】
或いは、音漏れ量の計測は省略し、固定値による係数を各乗算器に設定するといったことも可能である。このようにして少なくとも何らかの係数を設定しておけば、自ｃｈの信号を係数に応じて低減させた信号が反対ｃｈの信号から減算されるようにすることができるので、漏れ信号の低減が図られることに変わりはない。
【０１０２】
また、実施の形態では、Ｌｃｈ／Ｒｃｈの片側ずつ順番に基準信号を出力して音漏れ量の計測を行う例を示したが、両ｃｈ同時に基準信号を出力して各ｃｈの音漏れ量の計測を行うこともできる。
その場合は、Ｌｃｈ／Ｒｃｈの両ｃｈに出力する基準信号の周波数をそれぞれ別々の周波数に設定しておく。例えば、Ｌｃｈに出力すべき基準信号（正弦波信号）の周波数を１００Ｈｚとし、Ｒｃｈに出力すべき基準信号（正弦波信号）の周波数を１ｋＨｚとして同時に出力したとする。このときＬｃｈ側では、Ｌｃｈの基準信号（周波数１００Ｈｚ）にＲｃｈの基準信号に応じた漏れ信号（周波数１ｋＨｚ）が重畳した信号が得られることになる。そこで、携帯型オーディオ録音装置側では、例えば周波数分離器などを用いて、Ｒｃｈからの音漏れ信号（周波数１ｋＨｚ）のみを抽出（分離）し、そのレベル検出結果を用いてＬｃｈ側への音漏れ量計測を行う。
また、同様にＲｃｈ側においては、Ｒｃｈの基準信号（周波数１ｋＨｚ）にＬｃｈの基準信号に応じた漏れ信号（周波数１００Ｈｚ）が重畳した信号が得られることになるので、Ｌｃｈからの音漏れ信号（周波数１００Ｈｚ）のみを抽出（分離）して、そのレベル検出結果に基づきＲｃｈ側への音漏れ量計測を行うものとすればよい。
例えばこのようにしてＬｃｈ／Ｒｃｈの両ｃｈに出力する基準信号の周波数を異なるものとしておくことで、Ｌｃｈ／Ｒｃｈの両ｃｈを同時に出力しても各ｃｈの音漏れ量を適切に計測することができる。
【０１０３】
また、本実施の形態では、音漏れ量を計測するための基準信号を１ｋＨｚの正弦波信号としてシステムコントローラ１３（システムコントローラ４０）内に格納するものとしていたが、この基準信号は１ｋＨｚの正弦波信号以外であってもよい。
また、基準信号をシステムコントローラ１３（４０）内ではなく、メモリ部１５（ＨＤＤ３４）に格納しておくなど、基準信号の格納場所についも限定されるものではない。
或いは基準信号を予め格納していなくても、信号発生器などで随時生成することも可能である。
【０１０４】
また、第２の実施の形態において用いたマイクロフォン２５（図４）では、Ｌｃｈ集音素子ＭＬに流れるべき信号をダミー抵抗ＲＷＬへ流すことでバイパスさせる経路を有効／無効とするように設けられた第１切換手段として、それぞれ２端子によるスイッチＳＷ-ＷＬとスイッチＳＷ-ＭＬの２つを設けている。また、Ｒｃｈ集音素子ＭＲに流れるべき信号をダミー抵抗ＲＷＲへ流すことでバイパスさせる経路を有効／無効とするように設けられた第２切換手段として、それぞれ２端子によるスイッチＳＷ-ＷＲとスイッチＳＷ-ＭＲの２つを設けている。
しかし、３端子のスイッチを用いれば、スイッチは計２つのみとすることができる。
【０１０５】
図１１は、３端子のスイッチＳＷ-ＶＬとスイッチＳＷ-ＶＭを挿入した場合のマイクロフォン２５の内部構成を示している。
なお、図１１において、既に図４で説明した部分については同一の符号を付して説明を省略する。
先ず、スイッチＳＷ-ＶＬ、スイッチＳＷ-ＶＲは、端子ｔ１に対し端子ｔ２、端子ｔ３を択一的に選択可能なスイッチである。
図示するようにして、スイッチＳＷ-ＶＬは、抵抗ＲＹＬとダミー抵抗ＲＷＬの接続点、且つ、抵抗ＲＹＬとＬｃｈ集音素子ＭＬの接続点となる部分に対して設けられる。具体的には、端子ｔ１が抵抗ＲＹＬに対して接続され、端子ｔ２がＬｃｈ集音素子ＭＬに対して接続され、端子ｔ３がダミー抵抗ＲＷＬに対して接続されている。また、スイッチＳＷ-ＶＲは、抵抗ＲＸＲとダミー抵抗ＲＷＲの接続点、且つ、抵抗ＲＸＲとＲｃｈ集音素子ＭＲの接続点となる部分に対して設けられる。具体的には、端子ｔ１が抵抗ＲＸＲに対して接続され、端子ｔ２がＲｃｈ集音素子ＭＲに対して接続され、端子ｔ３がダミー抵抗ＲＷＲに対して接続されている。  
なお、スイッチＳＷ-ＶＬ、スイッチＳＷ-ＶＲの初期状態としては、それぞれの端子ｔ１に対して端子ｔ２が選択された状態である。
【０１０６】
この場合、図５に示したシステムコントローラ１３は、Ｌｃｈに発生する音漏れを計測するときは、スイッチＳＷ-ＶＬへ、端子ｔ１に対して端子ｔ３が選択されるように切換制御信号を供給する。このことで、ダミー抵抗ＲＷＬのみが回路全体に接続されることとなる。また、上記システムコントローラ１３は、Ｒｃｈに発生する音漏れを計測するときは、スイッチＳＷ-ＶＲへ、端子ｔ１に対して端子ｔ３が選択されるように切換制御信号を供給する。このことで、ダミー抵抗ＲＷＲのみが回路全体に接続されることとなる。
このように、図１１に示したマイクロフォン２５においても、図４に示したマイクロフォン２５と同様に、第１の実施の形態のように仕切り板３を用いなくてもＬｃｈ集音素子ＭＬのみ、又は、Ｒｃｈ集音素子ＭＲのみで音声を集音することができる。
これにより、携帯型オーディオ録音装置２６は、図１１に示したマイクロフォン２５を用いても第２の実施の形態と同様の音漏れ低減動作を行うことができ、記録時において、Ｌｃｈ／Ｒｃｈの信号がそれぞれ独立した信号として記録されるようにすることができる。
【０１０７】
なお、第２の実施の形態と、上記により説明したその変形例において用いたマイクロフォン２５そのものを携帯型オーディオ録音装置２６の内部に備えることも可能である。すなわち、録音装置の内部にマイクロフォンが備えられている場合に、そのマイクロフォンに対して第２の実施の形態又はその変形例の第１／第２切換手段を適用するものである。
【０１０８】
また、実施の形態では、音漏れ低減動作をユーザ操作に応じて開始する場合を例示したが、音漏れ低減動作を開始するタイミングとしては、これ以外にも考えられる。
例えば、各実施の形態の携帯型オーディオ録音装置の３極端子の接続部に対し、端子差し込み／引き抜きに応じてオン／オフするメカスイッチ等の検出部を設け、この検出部によってマイクロフォン或いはライン入力ケーブルの３端子が接続されたか否かの検出が可能となるようにしておいた上で、当該検出部の検出結果から、端子接続があったとされた場合に自動的に音漏れ低減動作を開始することもできる。
【０１０９】
また、このような検出部の検出結果に基づいて開始する以外にも、電源がＯＮとなったタイミングで音漏れ低減動作を開始するものとしてもよい。
或いは、接続されるマイクロフォンの変更があった場合に開始してもよいし、所定時間ごとに開始するといったことも可能である。
また、特に第３の実施の形態の場合では、携帯型オーディオ録音装置２８側で基準信号の入力を検出する検出部を設け、その検出の結果基準信号の入力があったとされた場合に開始するということもできる。また、接続ケーブルが変更されたときに開始することもできる。
【０１１０】
また、実施の形態では特に触れなかったが、漏れ信号の計測は、基準信号のレベルが安定した後に開始するのが有効的である。その場合、システムコントローラ１３は、Ａ／Ｄ変換器１０からの入力基準信号レベルの検出結果をモニタし、例えばそのレベルが所定値以上となったことに応じて漏れ量の計測を開始するものとすればよい。
【０１１１】
また、実施の形態では、「第１チャンネル入力端子から入力された第１チャンネル信号に係数を乗算する第１の係数乗算処理と、第２チャンネル入力端子から入力された第２チャンネル信号に係数を乗算する第２の係数乗算処理と、上記第２チャンネル入力端子から入力された上記第２チャンネル信号から上記第１の係数乗算処理により得られる乗算出力信号を減算する第１の減算処理と、上記第１チャンネル入力端子から入力された上記第１チャンネル信号から上記第２の係数乗算処理により得られる乗算出力信号を減算する第２の減算処理」とを、Ｄ−ｂｌｏｃｋ１２によるデジタル演算処理により実現する場合を例示したが、もちろん、これを図１に示されるままの各アナログ素子による接続構成で実現することも可能である。
【０１１２】
また、実施の形態では、本発明の信号処理装置が録音装置に適用される場合を例示したが、同様に３極端子を介して外部装置からの信号入力を行うように構成された電子機器であれば、本発明を好適に適用することができ、その場合もそれぞれのｃｈで相互に生じる漏れ信号の低減を図ることができる。
【図面の簡単な説明】
【０１１３】
【図１】本発明における第１の実施の形態としての信号処理装置の内部構成について示したブロック図である。
【図２】第１の実施の形態で用いる仕切り板について説明するための図である。
【図３】第１の実施の形態としての音漏れ低減動作を実現するために実行されるべき処理動作について示したフローチャートである。
【図４】第２の実施の形態で用いるマイクロフォンの内部構成について示した図である。
【図５】第２の実施の形態の信号処理装置の内部構成を示すブロック図である。
【図６】第２の実施の形態としての音漏れ低減動作を実現するために実行されるべき処理動作について示したフローチャートである。
【図７】実施の形態の信号処理システムの概要について説明するための図である。
【図８】実施の形態の信号処理システムに備えられる再生装置の内部構成を示すブロック図である。
【図９】実施の形態の信号処理システムに備えられる第３の実施の形態としての信号処理装置の内部構成について示すブロック図である。
【図１０】実施の形態としての信号処理システムにおいて実行されるべき処理動作について示したフローチャートである。
【図１１】第２の実施の形態の変形例で信号処理装置に接続されるマイクロフォンの内部構成について示した図である。
【図１２】従来例の信号処理装置とこれと接続されるマイクロフォンの内部構成について示したブロック図である。
【符号の説明】
【０１１４】
１，２６，２８  携帯型オーディオ録音装置、２，２５  マイクロフォン、３  仕切り板、５ａ，５ｂ，９ａ，９ｂ，２３ａ，２３ｂ，５１ａ，５１ｂ  アナログアンプ部、６ａ，６ｂ，３１ｘ  Ｌｃｈ端子、７ａ，７ｂ，３２ｘ  Ｒｃｈ端子、８ａ，８ｂ，３１ｙ，３２ｙ  グランド端子、１０ａ，１０ｂ  Ａ／Ｄ変換器、１１  ＤＳＰ、１２  Ｄ−Ｂｌｏｃｋ、１３，４０  システムコントローラ、１４  エンコーダ部、１５  メモリ部、１６，４１  操作部、１７ａ，１７ｂ  音漏れ低減用乗算器、１８ａ，１８ｂ  減算器、１９ａ，１９ｂ  Ｌｃｈ制御端子、２０ａ，２０ｂ  Ｒｃｈ制御端子、２１  増幅部、２２ａ，２２ｂ，３７ａ，３７ｂ  Ｄ／Ａ変換器、３０  オーディオ再生装置、３３，４２  制御端子、３４  ＨＤＤ、３５  デコーダ、３６  信号処理部、３８ａ，３８ｂ  アンプ、３９  バス、５０  オーディオシステム
【図１】
2008205847.tif 000003
【図２】
2008205847.tif 000004
【図３】
2008205847.tif 000005
【図４】
2008205847.tif 000006
【図５】
2008205847.tif 000007
【図６】
2008205847.tif 000008
【図７】
2008205847.tif 000009
【図８】
2008205847.tif 000010
【図９】
2008205847.tif 000011
【図１０】
2008205847.tif 000012
【図１１】
2008205847.tif 000013
【図１２】
2008205847.tif 000014